(57)【特許請求の範囲】
【請求項１】
ヘッドパイプ(２)から後方に左右一対で延びて内燃機関(11)を左右から懸架するフレーム(４)を有する自動二輪車(１)に搭載され、前記内燃機関(11)のシリンダ(24)周辺に配置される自動二輪車(１)のキャニスタ(26)の配置構造において、
側面視で、前記一対のフレーム(４)と少なくとも一部が重なるように、前記フレーム(４)と前記内燃機関(11)との間にキャニスタ(26)が配置され、
前記キャニスタ(26)は、前記一対のフレーム(４)間に渡した幅広の支持ステー(45)にて支持され、
前記支持ステー(45)の前記キャニスタ(26)を支持する保持部(45B)は、前方へ延びる板状上部アーム(55)および前記上部アーム(55)の下方で湾曲して前方へ延びる板状下部アーム(56)を一体的に備え、前記上部アーム(55)および前記下部アーム(56)により前記キャニスタ(26)はその上下で支持され、
前記下部アーム(56)から、後方へ一体的に延びる板状のパージバルブ取付けアーム(51)が設けられ、該パージバルブ取付けアーム(51)にパージバルブ(60)が取り付けられる
ことを特徴とする自動二輪車のキャニスタの配置構造。
【請求項２】
前記支持ステー(45)は、前記保持部(45B)を下側に支持する支持部(45A)を備え、該支持部(45A)上にバッテリケース(59)が支持されることを特徴とする請求項１記載の自動二輪車のキャニスタの配置構造。
【請求項３】
前記支持ステー(45)は、フレーム(４)に対する取付け用の腕部(46,47)を前後左右に複数個有することを特徴とする請求項１または請求項２に記載の自動二輪車のキャニスタの配置構造。
【請求項４】
前記支持ステー(45)は、弾性緩衝部材(57)を介して前記フレーム(４)の取付け部(48,49)に取付けられることを特徴とする請求項１乃至請求項３の何れかに記載の自動二輪車のキャニスタの配置構造。
【請求項５】
前記支持ステー(45)の前記保持部(45B)は、前記支持部(45A)とは別体で、前記支持部(45A)に取付けられていることを特徴とする請求項２に記載の自動二輪車のキャニスタの配置構造。
【請求項６】
前記キャニスタ(26)は、筒状弾性部材(36)を介して上下で支持ステー(45)の前記保持部(45B)によって保持されることを特徴とする請求項１に記載の自動二輪車のキャニスタの配置構造。
【請求項７】
前記キャニスタ(26)の外周には、弾性支持に用いる筒状弾性部材(36)を嵌め込む嵌合溝(35)が設けられ、同嵌合溝(35)の入口側の縁に傾斜面(37)が設けられていることを特徴とする請求項６に記載の自動二輪車のキャニスタの配置構造。
【請求項８】
前記キャニスタ(26)の上方には荷室(17)が設けられ、この荷室(17)内の収納ケース(20)と前記支持ステー(45)との間に、前記支持ステー(45)によって支持される補機としてバッテリ(21)が配置されていることを特徴とする請求項１記載の自動二輪車のキャニスタの配置構造。
【請求項９】
前記キャニスタ(26)の前方に内燃機関(11)に接続される吸気装置(66)が設けられ、同吸気装置(66)とシリンダ(24)とクランクケース(14)とで囲まれる領域に、キャニスタ(26)が配置されていることを特徴とする請求項１乃至請求項８の何れかに記載の自動二輪車のキャニスタの配置構造。
【発明の詳細な説明】
【技術分野】
【０００１】
本発明は、自動二輪車のキャニスタの配置構造に関するものである。
【背景技術】
【０００２】
従来技術では、前後にシリンダを配置したＶ型エンジンにおいて、Ｖバンク間にキャニスタを配置したものがある（例えば、特許文献１参照。）。このようにＶ型エンジンでは、シリンダを利用してこの空き空間にキャニスタを配置することによって、キャニスタの前後を保護することが可能である。しかしながら、この技術では、キャニスタの両側方は覆われていないので、前後と同等の強度で側面を保護しようとすると、ある程度の剛性を有する保護部品（プロテクタ等）による保護が必要となり、部品点数増加が生じて好ましくない。
【先行技術文献】
【特許文献】
【０００３】
【特許文献１】実開昭６０ー１４５２６５号公報
【発明の概要】
【発明が解決しようとする課題】
【０００４】
本発明の課題は、自動二輪車の内燃機関のシリンダ周辺に配置されるキャニスタの配置構造において、保護部材の部品点数を増加させること無く、キャニスタの保護を可能にすることにある。
【課題を解決するための手段】
【０００５】
本発明は上記課題を解決したものであって、請求項１に記載の発明は、
ヘッドパイプ(２)から後方に左右一対で延びて内燃機関(11)を左右から懸架するフレーム(４)を有する自動二輪車(１)に搭載され、前記内燃機関(11)のシリンダ(24)周辺に配置される自動二輪車(１)のキャニスタ(26)の配置構造において、
側面視で、前記一対のフレーム(４)と少なくとも一部が重なるように、前記フレーム(４)と前記内燃機関(11)との間にキャニスタ(26)が配置され、前記キャニスタ(26)は、前記一対のフレーム(４)間に渡した幅広の支持ステー(45)にて支持され、前記支持ステー(45)の前記キャニスタ(26)を支持する保持部(45B)は、前方へ延びる板状上部アーム(55)および前記上部アーム(55)の下方で湾曲して前方へ延びる板状下部アーム(56)を一体的に備え、前記上部アーム(55)および前記下部アーム(56)により前記キャニスタ(26)はその上下で支持され、前記下部アーム(56)から、後方へ一体的に延びる板状のパージバルブ取付けアーム(51)が設けられ、該パージバルブ取付けアーム(51)にパージバルブ(60)が取り付けられることを特徴とする自動二輪車のキャニスタの配置構造である。
【０００６】
請求項２に記載の発明は、請求項１記載の自動二輪車のキャニスタの配置構造において、前記支持ステー(45)は、前記保持部(45B)を下側に支持する支持部(45A)を備え、該支持部(45A)上にバッテリケース(59)が支持されることを特徴とする。
【０００７】
請求項３に記載の発明は、請求項１または請求項２に記載の自動二輪車のキャニスタの配置構造において、前記支持ステー(45)は、フレーム(４)に対する取付け用の腕部(46,47)を前後左右に複数個有することを特徴とする。
【０００８】
請求項４に記載の発明は、請求項１乃至請求項３の何れかに記載の自動二輪車のキャニスタの配置構造において、前記支持ステー(45)は、弾性緩衝部材(57)を介して前記フレーム(４)の取付け部(48,49)に取付けられることを特徴とする。
【０００９】
請求項５に記載の発明は、請求項２に記載の自動二輪車のキャニスタの配置構造において、前記支持ステー(45)の前記保持部(45B)は、前記支持部(45A)とは別体で、前記支持部(45A)に取付けられていることを特徴とする。
【００１０】
請求項６に記載の発明は、請求項１に記載の自動二輪車のキャニスタの配置構造において、前記キャニスタ(26)は、筒状弾性部材(36)を介して上下で支持ステー(45)の前記保持部(45B)によって保持されることを特徴とする。
【００１１】
請求項７に記載の発明は、請求項６に記載の自動二輪車のキャニスタの配置構造において、前記キャニスタ(26)の外周には、弾性支持に用いる筒状弾性部材(36)を嵌め込む嵌合溝(35)が設けられ、同嵌合溝(35)の入口側の縁に傾斜面(37)が設けられていることを特徴とする。
【００１２】
請求項８に記載の発明は、請求項１記載の自動二輪車(１)のキャニスタ(26)の配置構造において、前記キャニスタ(26)の上方には荷室(17)が設けられ、この荷室(17)内の収納ケース(20)と前記支持ステー(45)との間に、前記支持ステー(45)によって支持される補機としてバッテリ(21)が配置されていることを特徴とする。
【００１３】
請求項９に記載の発明は、請求項１乃至請求項８の何れかに記載の自動二輪車のキャニスタの配置構造において、前記キャニスタ(26)の前方に内燃機関(11)に接続される吸気装置(66)が設けられ、同吸気装置(66)とシリンダ(24)とクランクケース(14)とで囲まれる領域に、キャニスタ(26)が配置されていることを特徴とする。
【発明の効果】
【００１４】
請求項１の発明によれば、キャニスタ(26)の前面をシリンダ(24)にて、側方をフレーム(４)にて、剛性部材で覆うことによって、キャニスタ(26)の保護が可能となるだけでなく、エンジン(13)およびフレーム(４)を保護部材として利用することによって、部品点数の増加を抑制することができる。
また、キャニスタ(26)は、幅広の支持ステー(45)により支持されるので、強固に保持することができ、キャニスタ(26)は支持ステー(45)の保持部(45Ｂ)の上下のアーム(55，56)によって上下で保持されるので、キャニスタ(26)の支持剛性を高くすることができる。
そして、同じ保持部(45Ｂ)に、板状下部アーム(56)と板状のパージバルブ取付けアーム(51)を設けることで、同じ保持部でキャニスタ(26)とパージバルブ(60)を保持することができる。
【００１５】
請求項２の発明によれば、保持部(45B)にキャニスタ(26)を保持させたうえで、上部の支持部(45A)にバッテリケース(59)を支持することができる。
【００１６】
請求項３の発明によれば、支持ステー(45)は前後左右を取付け用腕部(46,47)によりフレーム(４)に取付けられるので安定的に固定される。
【００１７】
請求項４の発明によれば、支持ステー(45)を、車体フレーム(３)に取付けるに際して、弾性緩衝部材(57)を介して車体フレームの取付け部(48，49)に取付けてあるので、支持ステー(45)やキャニスタ(26)が、車両振動と共振することを防止できる。
【００１８】
請求項５の発明によれば、支持ステー(45)の保持部(45B)を、支持部(45A)とは別体として該支持部(45A)に取付けることで、保持部(45B)と支持部(45A)を別に製造しておいて組立てることができる。
【００１９】
請求項６の発明によれば、キャニスタ(26)は筒状弾性部材(36)を介して上下で支持ステー(45)のアーム(55，56)によって保持されるので、確実に緩衝保持される。
【００２０】
請求項７の発明によれば、キャニスタ(26)の外周には、弾性支持に用いる筒状弾性部材(36)を嵌め込む嵌合溝(35)が設けられ、同嵌合溝(35)の入口側の縁に傾斜面(37)が設けてあるので、筒状弾性部材(36)を嵌合溝(35)に嵌め込み易くすることができる。
【００２１】
請求項８の発明によれば、キャニスタ(26)と荷室(17)内の収納ケース(20)との間のデッドスペースを利用して、重量物のバッテリを配置することができる。
【００２２】
請求項９の発明によれば、キャニスタ(26)を、内燃機関(11)周辺のデッドスペースを有効かつ積極的に利用して配置することができる。
【図面の簡単な説明】
【００２３】
【図１】本発明の一実施形態に係る自動二輪車の左面図である。
【図２】キャニスタの図である。
【図３】筒状弾性部材の図である。
【図４】キャニスタの支持構造の上面図である。
【図５】支持ステーの上面図である。
【図６】図５のVI矢視図である。
【図７】図５のVII矢視図である。
【図８】支持ステー周辺の取付け状態側面図である。
【図９】キャニスタと、同キャニスタに連なるホースの斜視図である。
【発明を実施するための形態】
【００２４】
図１は、本発明の一実施形態に係る自動二輪車１の左面図である。以下の図において、矢印Ｆ，Ｌ，Ｒは、前・左・右の方向を表している。図１において、車両前端部にヘッドパイプ２が設けられ、車体フレーム３は上記ヘッドパイプ２から左右に分かれて後下がりに傾斜しつつ後方へ伸びる一対のメインフレーム４と補強フレーム５を備えている。上記ヘッドパイプ２には、前輪６を支持するフロントフォーク７が操向可能に支持され、フロントフォーク７の上部には操向ハンドル８が連結されている。車体フレーム３には、後輪９を支持するリヤフォーク10が懸架手段を介して上下揺動可能に支承されている。車体フレーム３には、内燃機関11と変速機12とを一体化したエンジン13が懸架されている。このエンジン13のクランクケース14には、クランク軸15と変速機軸が収容されている。このエンジン13の動力は、チェーン伝動機構16を介して後輪９に伝達される。車体フレーム３の上部の荷室17にはエアクリーナ18が収容されている。その後方に、ヘルメット19等を収容する収容ケース20が設けてある。エアクリーナ18と収容ケース20との下方にバッテリ21が配置されている。収容ケース20の後方にはシート22が設けてある。シート22の下に燃料タンク23が設けてある。クランクケース14にシリンダ24が接続されている。シリンダ24には、上部にシリンダヘッド25が接続されており、このシリンダヘッド25とエアクリーナ18との間を接続する吸気通路を構成する吸気装置66が設けられている。
【００２５】
上記自動二輪車１にはエバポシステム（蒸発燃料処理装置）が設けてある。これは燃料タンク23内で発生した蒸発燃料を、一時キャニスタ26内の活性炭に吸収させた後、内燃機関11の吸気通路の吸気負圧によってキャニスタ26に新気を導入し、活性炭から蒸発燃料を離脱させ、吸気装置66に混合気と共に吸入させて内燃機関11の燃焼に供するものであり、蒸発燃料を外気に放散しないようにするためのシステムである。
【００２６】
図１において、側面視で上記一対のメインフレーム４と少なくとも一部が重なるように、メインフレーム４と内燃機関11のシリンダ24との間に上記キャニスタ26が配置されている。キャニスタ26の上方のやや前寄りにバッテリ21が配置されている。
【００２７】
図２は、上記キャニスタ26の図であり、図２（ａ）は、キャニスタ26の前面図、同図（ｂ）は断面図、同図（ｃ）は同図（ａ）のＣ矢視図、同図（ｄ）は同図（ａ）のＤ矢視図、である。図２（ｂ）の断面図にはキャニスタ26の外殻のみ描いてあるが、使用時には中に活性炭の粒が充填される。図２（ｂ）において、外殻は、ケース27と左端のキャップ28とからなっている。
【００２８】
ケース27の右端面27ａには、燃料タンク23に連なる蒸発燃料排出ホース接続部29と、内燃機関11の吸気装置66に繋がるパージホース接続部30が設けてある。図２（ｂ）において、ケース27の左端のキャップ28には、新気導入ホース接続部31と、ドレンホース接続部32が設けてある。図２（ｂ）において、ケース27の中には、左端の近くにグリッド33が設けられ、グリッド33の内側と、蒸発燃料排出ホース接続部29の内側と、パージホース接続部30の内側に、それぞれフィルタ34が設けてある。これらのフィルタ34によって両側から挟まれた広いキャニスタ内部空間42に活性炭の粒（図示なし）が充填される。
【００２９】
図２（ａ）、（ｂ）においてケース27の中央部の外周に幅広の嵌合溝35が形成してある。この嵌合溝35に後述の筒状弾性部材36が嵌め込まれる。この嵌合溝35の入口側の縁の4箇所に、筒状弾性部材36の嵌め込みを容易にするための傾斜面37が形成してある。
【００３０】
図２（ｃ）のｘには、図２（ａ）のＸ−Ｘ矢視で示される断面が表示してある。キャニスタ26の前部外面には小さい突起38が形成されており、この突起38は上記筒状弾性部材36の位置決めに用いられるものである。
【００３１】
図３は、上記筒状弾性部材36の図であり、同図（ａ）は前面図、同図（ｂ）は同図（ａ）のＢ−Ｂ断面図である。この部材は合成ゴムで作られており、幅広貫通孔39を備えた係止部40が上下に設けてある。また筒状弾性部材36の周面には円形貫通孔41が、前面に３個、後面に２個設けてある。これはキャニスタケース27に対する位置決め用の孔である。本実施形態の場合は、前面の３個の円形貫通孔41のうちの中央の１個の円形貫通孔41があればよいが、この筒状弾性部材36及びキャニスタ26を、他機種に流用するために、このように複数の孔41が設けてあり、機種毎の配置位置に合わせて、適宜何れか適した円形貫通孔41のうちの一つが選択される。
【００３２】
上記筒状弾性部材36をキャニスタケース27の右端側からケースに嵌め込み、ケース27の前面の突起38（図２）を筒状弾性部材36の前面の中央の円形貫通孔41に嵌めると、筒状弾性部材36は正しい位置に取付けられたことになる。この時、幅広貫通孔39を備えた係止部40がキャニスタケース27の上下に位置することになる。
【００３３】
図４は、上記キャニスタ26の支持構造の上面図である。車体フレーム３は、ヘッドパイプ２に連なり後方へ伸びる左右一対のメインフレーム４と、ヘッドパイプ２とメインフレーム４との間を繋ぐ補強フレーム５と、左右のメインフレーム４の間に掛け渡されている橋渡し部材44とを備えている。キャニスタ26は、角形形状の支持ステー45によって支持されている。上記角形の支持ステー45は、左右に伸びる前側腕部46と、同様に左右に伸びる後側腕部47とを備えている。支持ステー45の前側腕部46は、上記補強フレーム５に溶接された取付け部48にボルト・ナット50（図８）で固定され、後側腕部47は、上記橋渡し部材44に溶接された取付け部49に同様にボルト・ナット50（図８）で固定される。キャニスタ26は支持ステー45の下部に保持されている。支持ステー45の後部から、ネジ孔を備えたパージバルブ取付けアーム51が伸びている。
【００３４】
図５は上記支持ステー45の上面図、図６は図５のVI矢視図、図７は図５のVII矢視図である。図７にはキャニスタ26の側面図も描いてある。支持ステー45は、支持部45Ａと、同支持部45Ａの下側に設けてある保持部45Ｂとからなっている。図７において、支持部45Ａは、前側腕部46を有する傾斜部52と、同傾斜部52の後部に連なり、後側腕部47を有する水平部53とからなっている。保持部45Ｂは支持部45Ａとは別体に製作され、支持部45Ａにスポット溶接によって取付けられたものである。図７において、保持部45Ｂは、上記スポット溶接取付け部54と、同スポット溶接取付け部54の近くから前方へ延びる上部アーム55と、上記スポット溶接取付け部54から湾曲して下方へ延び、更に前方へ延びる下部アーム56と、下部アーム56から後方へ分岐した前記一対のパージバルブ取付けアーム51とからなっている。図５において、上部アーム55と下部アーム56のそれぞれの先端には、先端幅広部58が形成されている。
【００３５】
図８は、支持ステー45周辺の取付け状態側面図である。バッテリ21を収容したバッテリケース59が支持ステー45の支持部45Ａの傾斜部52に保持され、キャニスタ26が、支持ステー45の保持部45Ｂに装着されている。支持ステー45の前側腕部46、後側腕部47は、バッテリケース59と共に、車体フレーム３の取付け部48、49に、弾性緩衝部材57を介して、ボルト・ナット50で取付けられている。バッテリ21はバッテリケース59に収容され、幅広のゴムバンド65によって脱落が防止されている。
【００３６】
上記保持部45Ｂによってキャニスタ26を保持するに際して、保持部45Ｂの上部アーム55と下部アーム56とをそれぞれ筒状弾性部材36の上側係止部40と下側係止部40の、幅広貫通孔39に挿入する。上部アーム55と下部アーム56との先端部は先端幅広部58（図５）になっており、アーム55、56が幅広貫通孔39（図３）に挿入された後先端幅広部58が幅広貫通孔39の端部から突出するので、アーム55、56が幅広貫通孔39から抜けることはない。支持ステー45の保持部45Ｂのパージバルブ取付けアーム51に、パージバルブ60が取付けられている。
【００３７】
図９は、キャニスタ26と、同キャニスタ26に連なるホースの斜視図である。キャニスタ26の後方にはパージバルブ60が設けてある。パージバルブ60は図８に示されるように、パージバルブ取付けアーム51にボルトによって取付けられるものである。ケース27の右端面27ａに蒸発燃料排出ホース61が接続されている。蒸発燃料排出ホース61は燃料タンク23（図１）に内臓された気液分離器に連なり、燃料タンク23に設けられた接続部に接続されているものであり、燃料タンク23内で気化した燃料がキャニスタ26へ送られる。ケース27の右端面27ａから、パージホース62が、途中でパージバルブ60を経由して、内燃機関11の吸気装置66に連なっている。ケース27の左端を覆うキャップ28に、新気導入ホース63が接続されている。上記キャップ28にドレンホース64が接続され、下方へ伸びている。キャニスタ26におけるこれらのホースの接続部は図２に示されている。
【００３８】
次に図９に基づいてエバポシステムの作用について述べる。
キャニスタ26内に蒸発燃料排出ホース61を経て流入した蒸発燃料は、活性炭に一旦吸着される。吸気装置66の吸気負圧がキャニスタ26に作用したときに、新気導入ホース63を経てキャニスタ26内に導入された新気によって、蒸発燃料は活性炭から離脱して、パージバルブ60及びパージホース62を経て吸気通路へ吸入される。
【００３９】
上記パージホース62に接続されているパージバルブ60は、一度に多量の蒸発燃料が吸気装置66内に吸入されて混合気の空燃比が大きく変動するのを防ぐために、蒸発燃料の吸入量を制御するための一方向弁であり、所定値以上の負圧が作用したときにのみキャニスタ26から吸気装置66への蒸発燃料の流れを許容し、反対方向の吸気装置66からキャニスタ26へのガスの流れを阻止する装置である。キャニスタ26のキャップ28に連なるドレンホース64の下端は外気に開放されている。これはキャニスタ26内に生じる水分や、蒸発燃料排出ホース61から直接流入して処理が出来ない微量の燃料等を排出するためのものである。
【００４０】
以上詳述したように、上記実施形態においては次のような効果がもたらされる。
（１）キャニスタ26は、車両の側面視で、一対のメインフレーム４と一部が重なるようにして、メインフレーム４と内燃機関11との間に配置されている。キャニスタ26の前面をシリンダ24で、側方をメインフレーム４で覆うことによって、キャニスタ26の保護が可能となるだけでなく、エンジン13及びメインフレーム４を保護部材として利用するので、専用保護部材が不要となり、部品点数の増加を抑制することができる。
（２）キャニスタ26は、一対のメインフレーム４間に渡した幅広の支持ステー45によって支持されるので、強固に支持される。
（３）上記支持ステー45は、車体フレーム３に対する取付け用腕部46，47を前後左右に４個所有し、キャニスタ26以外の他の補機も支持することができるので、それらの他の補機のための専用支持部材が不要となり、部品点数の削減が可能となる。
（４）上記支持ステー45を、前記車体フレーム３に取付けるに際して、弾性緩衝部材57を介して車体フレーム３の取付け部48，49に取付けてあるので、支持ステー45やキャニスタ26が、車両振動と共振することを防止できる。
（５）前記キャニスタ26は前記支持ステー45の保持部45Ｂの上下のアーム55，56によって上下で保持されるので、キャニスタ26の支持剛性を高くすることができる。
（６）前記キャニスタ26は筒状弾性部材36を介して上下で支持ステー45のアーム55，56によって保持されるので、確実に緩衝保持される。
（７）キャニスタ26の外周には、弾性支持に用いる筒状弾性部材36を嵌め込む嵌合溝35が設けられ、同嵌合溝35の入口側の縁に傾斜面37が設けてある。これによって、筒状弾性部材36を嵌合溝35に嵌め込み易くすることができる。
（８）前記キャニスタ26の上方には荷室17が設けられ、この荷室17内の収納ケース20と前記支持ステー45との間に、前記支持ステー45によって支持される補機としてバッテリ21が配置されている。これによって、キャニスタ26と収容ケース20との間のデッドスペースを利用して、重量物のバッテリ21を配置することができる。
（９）前記キャニスタ26の前方に内燃機関11に接続される吸気装置66が設けられ、同吸気装置66とシリンダ24とクランクケース14とで囲まれる領域に、キャニスタ26が配置されている。キャニスタ26を内燃機関11周辺のデッドスペースを有効且つ積極的に利用して配置することができると共に、キャニスタ26から上記吸気装置66へ向かうパージホース62を短縮することができる。
【符号の説明】
【００４１】
１…自動二輪車、２…ヘッドパイプ、３…車体フレーム、４…メインフレーム、11…内燃機関、13…エンジン、14…クランクケース、17…荷室、20…収納ケース、21…バッテリ、24…シリンダ、26…キャニスタ、35…嵌合溝、36…筒状弾性部材、37…傾斜面、45…支持ステー、45Ａ…支持ステーの支持部、45Ｂ…支持ステーの保持部、46…前側腕部、47…後側腕部、48…取付け部（前側）、49…取付け部（後側）、57…弾性緩衝部材
【図１】
0005864117.tif 000002
【図２】
0005864117.tif 000003
【図３】
0005864117.tif 000004
【図４】
0005864117.tif 000005
【図５】
0005864117.tif 000006
【図６】
0005864117.tif 000007
【図７】
0005864117.tif 000008
【図８】
0005864117.tif 000009
【図９】
0005864117.tif 000010